(57)【要約】【課題】旗竿への装着時に優れた作業効率を有する旗布用係止部材を低コストで提供する。【解決手段】旗布２０の端部に所定間隔で複数設けられ、旗竿３０を貫通させる筒状の竿袋２１のうち、旗布２０の下端部に設けられた竿袋２１Ａを、旗竿３０の所定位置に係止するための旗布用係止部材１０として、全体を中空円筒体１で構成し、その一端には竿袋２１Ａの筒径以上の外径を有するフランジ２を設け、その一端から他端までの間には軸方向に沿った切り欠き３を設けるとともに、その内径は旗竿３０に装着可能な寸法とする。そして、旗布２０の下端部に設けられた竿袋２１Ａが位置する旗竿３０の上方に、旗布用係止部材１０のフランジ２を下方に向けた状態で、切り欠き３を拡げつつ装着して、旗布２０の下端部に設けられた竿袋２１Ａを、フランジ２の中空円筒体１側とは反対側の端面２ａで係止するように構成する。【選択図】図１
0003126028.tif 000002
【実用新案登録請求の範囲】
【請求項１】
旗布の端部に所定間隔で複数設けられ、旗竿を貫通させる筒状の竿袋のうち、前記旗布の下端部に設けられた竿袋を、前記旗竿の所定位置に係止するための旗布用係止部材であって、
全体が中空円筒体で構成され、その一端には前記竿袋の筒径以上の外径を有するフランジが設けられ、その一端から他端までの間には軸方向に沿った切り欠きが設けられているとともに、その内径は前記旗竿に装着可能な寸法となっており、
前記旗布の下端部に設けられた前記竿袋が位置する前記旗竿の上方に、前記切り欠きを拡げつつ装着して、前記旗布の下端部に設けられた前記竿袋を前記フランジの端面で係止するように構成されていることを特徴とする旗布用係止部材。
【請求項２】
前記中空円筒体の内径面には、前記旗竿に対して固定可能な固定部材が設けられていることを特徴とする請求項１に記載の旗布用係止部材。
【考案の詳細な説明】
【技術分野】
【０００１】
本考案は、幟などの旗布を旗竿の所定位置に係止する係止部材に係り、特に、旗布の端部に所定間隔で複数設けられ、旗竿を貫通させる筒状の竿袋のうち、旗布の下端部に設けられた竿袋を、旗竿の所定位置に係止するための係止部材に関するものである。
【背景技術】
【０００２】
通常、イベントや販売促進キャンペーンなどで使用される広告用幟においては、強風が吹くと旗布の下端部が巻き上げられたり、旗布が旗竿に巻きついたりして、旗布に表示された文字や図形などの宣伝内容が見えなくなり、宣伝効果が得られなくなるという問題があった。
【０００３】
特許文献１及び特許文献２では、強風が吹いた場合であっても、幟の旗布の下端部における巻上げを防止するために、旗布の下端部を旗竿に係止する係止部材を設けるとともに、旗布の旗竿への巻きつきを防止するために、旗布を旗竿に対して回動自在に支持する回動部材を設けて、旗布が常に風下に向かって拡がるようにした技術が提案されている。
【０００４】
具体的に、特許文献１では、旗竿に固定する筒状部材と、この筒状部材の外周面に回動自在に装着され、旗布を係止するための係止部を有する回動部材と、この回動部材の下端部側の旗竿に固定する補助部材と、を備えた竿袋止め具が提案されている。
【０００５】
この特許文献1に記載の竿袋止め具では、まず、旗布の最下端部に設けられた竿袋の近傍に位置する旗竿に筒状部材を固定した後、筒状部材の外周面に回動部材を装着し、さらに、この回動部材の下端部側の旗竿に補助部材を固定した後、回動部材に設けられた係止部に竿袋を係止させる構成となっている。
【０００６】
また、特許文献２では、弾性帯状体を円状に屈曲してその先端を突き合わせ、その弾性力で旗竿に装着する固定リングと、この固定リングの筒状体肉厚外径よりも小さい内径の筒状体で、その外周面の軸方向中央部に溝部を有し、旗竿の外周面に回動自在に装着される回動部材と、この回動部材に設けられた溝部に係合する幅の弾性帯状体を円状に屈曲して形成した係合部材と、を備えた幟用留め具が提案されている。
【０００７】
この特許文献２に記載の幟用留め具では、まず、旗布の最下端部に設けられた竿袋の近傍の位置する旗竿に、固定リングを固定し、この固定リングの下方の旗竿に回動部材を固定した後、旗布の端部に設けられた竿袋に旗竿を貫通させ、さらに、固定リングに設けられた溝部に竿袋の上方から係合部材を係合させる構成となっている。
【特許文献１】実用新案第３０２９５７６号公報
【特許文献２】特許第３５０４２０８号公報
【考案の開示】
【考案が解決しようとする課題】
【０００８】
しかしながら、上述した特許文献１及び特許文献２に記載の技術においては、いずれも竿袋を係止させつつ旗竿に対して回動自在とするための部材の部品点数が多く、取り付け工程が複雑であるため、部品コストが嵩むとともに、旗竿への装着時の作業効率が良好ではないという問題があった。
【０００９】
また、上述した特許文献１及び特許文献２に記載の技術においては、いずれも回動部材が固定された状態の旗竿を竿袋に貫通させる構成となっているため、旗竿への装着時の作業効率が良好ではないという問題があった。
【００１０】
そこで、本考案は、上記事情に鑑みてなされたものであり、旗竿への装着時に優れた作業効率を有する旗布用係止部材を低コストで提供することを課題としている。
【課題を解決するための手段】
【００１１】
このような課題を解決するために、本考案に係る旗布用係止部材は、旗布の端部に所定間隔で複数設けられ、旗竿を貫通させる筒状の竿袋のうち、前記旗布の下端部に設けられた竿袋を、前記旗竿の所定位置に係止するための旗布用係止部材であって、全体が中空円筒体で構成され、その一端には前記竿袋の筒径以上の外径を有するフランジが設けられ、その一端から他端までの間には軸方向に沿った切り欠きが設けられているとともに、その内径は前記旗竿に装着可能な寸法となっており、前記旗布の下端部に設けられた前記竿袋が位置する前記旗竿の上方に、前記切り欠きを拡げつつ装着して、前記旗布の下端部に設けられた前記竿袋を前記フランジの端面で係止するように構成されていることを特徴としている。
【００１２】
ここで、本考案に係る旗布用係止部材は、フランジを下方に向けて旗竿に装着し、フランジの中空円筒体とは反対側の端面で竿袋を係止してもよいし、フランジを上方に向けて旗竿に装着し、フランジの中空円筒体側の端面で竿袋を係止してもよい。
【００１３】
本考案に係る旗布用係止部材によれば、旗竿への固定部と竿袋の係止部とが一つの部材に設けられているため、部品コストを低減できるとともに、旗竿への装着時の作業効率を向上させることが可能となる。
【００１４】
また、本考案に係る旗布用係止部材によれば、竿袋の筒内部に配置せずに、竿袋が配置された旗竿の上方に設けるようにしたことにより、旗竿への装着時の作業効率を向上させることが可能となる。
【００１５】
なお、本考案に係る旗布用係止部材において、中空円筒体をなす内径は、取り付ける旗竿に応じて決定し、中空円筒体の一端に設けられたフランジの外径は、係止する竿袋の筒径に応じて決定する。
【００１６】
さらに、本考案に係る旗布用係止部材において、中空円筒体の材料としては、例えばゴムなどの弾性部材や、プラスチックなどの合成樹脂が挙げられる。また、本考案に係る旗布用係止部材において、フランジの材料としては、上述した中空円筒体の材料と同じものが挙げられ、このフランジは中空円筒体と一体成形で形成してもよいし、別体で形成してもよい。
【００１７】
本考案に係る旗布用係止部材において、前記中空円筒体の内径面には、前記旗竿に対して固定可能な固定部材が設けられていることが好ましい。
【００１８】
この構成にすれば、旗布用係止部材を旗竿の所定位置により安定して固定することができるため、旗布の下端部における巻き上がりや旗竿への巻きつきをより効果的に防止することが可能となる。
【００１９】
なお、本考案に係る旗布用係止部材において、固定部材は、取り付ける旗竿の材料に応じて適宜変更することが好ましく、例えば、鉄製の旗竿に取り付ける場合には固定部材として磁石を用いることが好ましく、プラスチックなど合成樹脂製の旗竿に取り付ける場合には固定部材としてゴムなどの弾性体を用いることが好ましい。
【考案の効果】
【００２０】
本考案によれば、旗竿への装着時に優れた作業効率を有する旗布用係止部材を低コストで提供できる。
【考案を実施するための最良の形態】
【００２１】
以下、本考案に係る実施形態について図面を参照しながら説明する。
【００２２】
図１は、本考案に係る旗布用係止部材の一構成例を示す斜視図である。図２は、本考案に係る旗布用係止部材の一使用例を示す斜視図であり、（ａ）は幟に設置した状態を示す全体側面図、（ｂ）は図２（ａ）の旗布用係止部材を示す部分拡大斜視図、（ｃ）は図２（ｂ）の縦断面図である。
【００２３】
この旗布用係止部材１０は、図1に示すように、全体がプラスチック製の中空円筒体１で構成され、その一端には係止する竿袋の筒径よりも大きな外径を有するリング状のフランジ２が一体成型で設けられ、その一端から他端までの間には軸方向に沿った切り欠き３が設けられている。また、旗布用係止部材１０をなす中空円筒体１の内径は、取り付ける旗竿に装着可能となるように、この旗竿の外径と略同一寸法となっている。
【００２４】
また、この旗布用係止部材１０をなす中空円筒体１の内径面には、ゴムからなる固定部材４が貼り付けられている。
【００２５】
この旗布用係止部材１０は、図２に示すように、広告用幟の旗布２０の下端部を旗竿３０に対して係止するために用いることができる。この幟は、図２に示すように、鉛直方向に立てて支持されるプラスチック製の旗竿３０と、この旗竿３０の上端部に水平方向に延伸した状態で連結部材３２を介して連結されたプラスチック製の支持部材３１とに、長方形の旗布２０の一短辺及び一長辺に所定間隔を空けて複数ずつ設けられた筒状の竿袋２１を貫通させた構成となっている。
【００２６】
ここで、本実施形態では、旗竿３０として、旗布用係止部材１０をなす中空円筒体１の内径と略同一寸法であるものを用いている。また、本実施形態では、旗布として、竿袋２１の筒径が旗布用係止部材１０のフランジ２の外径よりも大きな公知の旗布を用意して、竿袋２１の突出長さの途中を糸２２で縫い、その筒径が旗布用係止部材１０をなす中空円筒体１の外径よりも大きく、旗布用係止部材１０のフランジ２の外径よりも小さくなるように調整したものを用いている。
【００２７】
そして、このような幟において、旗布２０の最下端部に設けられた竿袋２１Ａが位置する旗竿３０の上部に、旗布用係止部材１０を、そのフランジ２を下方に向けた状態で、その切り欠き３を拡げつつ押し付けることで装着する。なお、旗竿３０に装着した旗布用係止部材１０は、切り欠き３を拡げつつ引っ張ることで取り外すことができる。
【００２８】
本実施形態における旗布用係止部材１０によれば、旗竿３０への固定部と竿袋２１の係止部とが一つの部材に設けられているため、低コストで製造できる。また、本実施形態における旗布用係止部材１０によれば、その切り欠き３を拡げることで装着可能であるため、旗竿３０への装着時に優れた作業効率が得られる。
【００２９】
また、本実施形態における旗布用係止部材１０によれば、強風が吹いた場合であっても、竿袋２１の上端面２１ａが旗布用係止部材１０に設けられたフランジ２の中空円筒体１側の端面２ａで係止されるため、旗布２０の下端部の巻き上がりを防止できる。
【００３０】
さらに、本実施形態における旗布用係止部材１０によれば、竿袋２１の筒径を中空円筒体１の外径よりも大きく、旗布用係止部材１０のフランジ２の外径よりも小さくなるように調整し、フランジ２の中空円筒体１側の端面２ａで竿袋２１の上端面２１ａを係止する構成としたことにより、竿袋２１自体が回動自在となるため、強風が吹いた場合であっても、旗布２０の旗竿３０への巻きつきを防止できる。
【００３１】
すなわち、本実施形態によれば、強風が吹いた場合であっても、旗布２０の下端部の巻き上がりや旗布２０の旗竿３０への巻きつきを防止できる旗布用係止部材１０を、低コストで、且つ、旗竿３０への装着時に優れた作業効率が得られるように製造できる。
【００３２】
なお、本実施形態では、旗布用係止部材１０を、そのフランジ２が下方に位置するように装着した場合について説明したが、その装着向きはこれに限らず、図３に示すように、旗布用係止部材１０を、そのフランジ２が上方に位置するように装着してもよい。この場合、竿袋２１Ａは、旗布用係止部材１０をなす中空円筒体１の外径面を覆うように固定され、その上端面２１ａは旗布用係止部材１０に設けられたフランジ２の中空円筒体１とは反対側の端面２ｂで係止されるようになる。
【００３３】
また、本実施形態では、旗布用係止部材１０を、旗布２０の最下端部に設けられた竿袋２１Ａのみを係止する場合について説明したが、旗布２０の下端部の巻き上がりを防止することが出来れば、これに限らない。例えば、旗布２０の下端部近傍に設けられた一又は二以上の竿袋２１を旗布用係止部材１０で係止するようにしてもよい。
【図面の簡単な説明】
【００３４】
【図１】本考案に係る旗布用係止部材の一構成例を示す斜視図である。
【図２】本考案に係る旗布用係止部材の一使用例を示す斜視図である。
【図３】本考案に係る旗布用係止部材の他の使用例を示す斜視図である。
【符号の説明】
【００３５】
１    中空円筒体
２    フランジ
３    切り欠き
４    固定部材
１０    旗布用係止部材
２０    旗布
２１    竿袋
３０    旗竿
【図１】
0003126028.tif 000003
【図２】
0003126028.tif 000004
【図３】
0003126028.tif 000005